(57)【要約】【課題】スピニングリールのリール本体において、容易にカバー部材を浮き止めできるようにする。【解決手段】スピニングリールのリール本体２は、本体部材２ａと、本体部材２ａにねじ止めされた蓋部材２ｂと、本体部材２ａ及び蓋部材２ｂにそれぞれ一体成形された第１フランジ部分２４ａ及び第２フランジ部分２４ｂを有する円形のフランジ部２ｃとを主に有している。第２フランジ部分２４ｂには、係止突起３８ａが係止されてカバー部材３８を浮き止めするための円形状の係止孔２４ｃが形成されている。カバー部材３８の蓋部材２ｂ装着側の前端部には、第２フランジ部分２４ｂ装着面に突出して設けられ、断面が略半円形状に形成された係止突起３８ａが一体成形されている。【選択図】　　　図４
2004081153.tif 000002
【特許請求の範囲】
【請求項１】
釣竿に装着され、前方に釣り糸を繰り出し可能なスピニングリールのリール本体であって、
前記釣竿に装着される竿取付脚部と、
前記竿取付脚部と連設されたリールボディと、
前記リールボディの下部を覆うように後方から装着されるカバー部材と、
前記カバー部材の前端部装着面に突出して設けられ、断面が略半円形状に形成された係止突起と、
前記リールボディに形成され、前記係止突起が係止されて前記カバー部材を浮き止めするための円形状の係止孔と、
を備えたスピニングリールのリール本体。
【請求項２】
前記リールボディは、側部が開口する収納空間を内部に有する本体部材と、前記本体部材の開口を覆うように着脱自在に前記本体部材にねじ止めされる蓋部材とを有している、請求項１に記載のスピニングリールのリール本体。
【請求項３】
前記係止孔は前記本体部材に形成されている、請求項２に記載のスピニングリールのリール本体。
【請求項４】
前記係止孔は前記蓋部材に形成されている、請求項２又は３に記載のスピニングリールのリール本体。
【請求項５】
前記係止突起は前記カバー部材と一体成形されている、請求項１から４のいずれかに記載のスピニングリールのリール本体。
【請求項６】
前記係止突起は前記カバー部材と別体で形成されている、請求項１から４のいずれかに記載のスピニングリールのリール本体。
【請求項７】
前記竿取付脚部は前記本体部材と一体成形されている、請求項２から６のいずれかに記載のスピニングリールのリール本体。
【請求項８】
前記竿取付脚部は前記蓋部材と一体成形されている、請求項２から６のいずれかに記載のスピニングリールのリール本体。
【発明の詳細な説明】
【０００１】
【発明の属する技術分野】
本発明は、リール本体、特に、前方に釣り糸を繰り出し可能なスピニングリールのリール本体に関する。
【０００２】
【従来の技術】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
リール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。また、リール本体の後方下部には、リールボディを覆うように後方からカバー部材が装着されている。カバー部材は、リールボディの複数箇所に複数のねじ部材によってねじ止め固定されている。
【０００４】
このようなカバー部材が装着されるスピニングリールでは、カバー部材の前端部がリールボディから浮き上がってしまうことがある。カバー部材が浮き上がると、外観の美観を損なうとともに、浮き上がった部分が他の部材等に引っ掛かりカバー部材が破損してしまうおそれが生じる。そこで、カバー部材を浮き止めするために、カバー部材の前端部装着面に突出して設けられ係止突起と、リールボディに形成された矩形状の係止孔とを備えたものが知られている。ここでは、カバー部材をリールボディに装着したとき、係止孔に係止突起を係止させてカバー部材を浮き止めしている。
【０００５】
【発明が解決しようとする課題】
前記従来のスピニングリールでは、カバー部材に設けられた係止突起をリールボディの係止孔に係止してカバー部材を浮き止めしている。しかし、リールボディの係止孔は、矩形状に形成されているので、加工が複雑化し、形成が困難になるおそれが生じる。
【０００６】
本発明の課題は、スピニングリールのリール本体において、容易にカバー部材を浮き止めできるようにすることにある。
【０００７】
【課題を解決するための手段】
発明１に係るスピニングリールのリール本体は、釣竿に装着され前方に釣り糸を繰り出し可能なスピニングリールのリール本体であって、釣竿に装着される竿取付脚部と、竿取付脚部と連設されたリールボディと、リールボディの下部を覆うように後方から装着されるカバー部材と、カバー部材の前端部装着面に突出して設けられ断面が略半円形状に形成された係止突起と、リールボディに形成され係止突起が係止されてカバー部材を浮き止めするための円形状の係止孔とを備えている。
【０００８】
このリール本体では、リールボディに形成された円形状の係止孔にカバー部材に形成された断面が略半円形状の係止突起を係止させてカバー部材を浮き止めしている。ここでは、係止孔は円形状に形成されているので、その形成が容易になる。したがって、容易な構成でカバー部材を浮き止めできる。
発明２に係るリール本体は、発明１のリール本体において、リールボディは、側部が開口する収納空間を内部に有する本体部材と、本体部材の開口を覆うように着脱自在に本体部材にねじ止めされる蓋部材とを有している。この場合、たとえば蓋部材に係止孔が形成され、蓋部材の後方からカバー部材に形成され係止突起が係止される。ここでは、係止突起を円形状の係止孔に係止させることにより、容易な構成でカバー部材を浮き止めできる。
【０００９】
発明３に係るスピニングリールのリール本体は、発明２のリール本体において、係止孔は本体部材に形成されている。この場合、カバー部材を本体部材に浮き止めできる。
発明４に係るスピニングリールのリール本体は、発明２又は３のリール本体において、係止孔は蓋部材に形成されている。この場合、カバー部材を蓋部材に浮き止めできる。
【００１０】
発明５に係るリール本体は、発明１から４のいずれかのリール本体において、係止突起はカバー部材と一体成形されている。この場合、係止突起を容易に形成できる。
発明６に係るスピニングリールのリール本体は、発明１から４のいずれかのリール本体において、係止突起はカバー部材と別体で形成されている。この場合、たとえばカバー部材と別体のピン部材を装着固定することにより、係止突起を安価に形成できる。
【００１１】
発明７に係るスピニングリールのリール本体は、発明２から６のいずれかのリール本体において、竿取付脚部は、本体部材と一体成形されている。この場合、竿取付脚部と本体部材とが一体成形されているので、竿取付脚部と蓋部材とが一体成形されている場合に比して、蓋部材の構成が簡素になる。
発明８に係るスピニングリールのリール本体は、発明２から６のいずれかのリール本体において、竿取付脚部は、蓋部材と一体成形されている。この場合、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【００１２】
【発明の実施の形態】
本発明の一実施形態を採用したスピニングリールは、図１及び図２に示すように、ハンドル１を回転自在に支持され釣竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、図２に示すリール本体２の右側とのいずれにも装着可能である。
【００１３】
リール本体２は、図１から図５に示すように、ロータ３やスプール４を支持する本体部材２ａと、本体部材２ａに着脱自在にねじ止めされた蓋部材２ｂと、本体部材２ａ及び蓋部材２ｂにそれぞれ一体成形された第１フランジ部分２４ａ及び第２フランジ部分２４ｂを有する円形のフランジ部２ｃとを主に有している。
本体部材２ａは、たとえばガラス繊維で強化されたポリアミド系合成樹脂製であり、射出成形法により製造された部材である。本体部材２ａは、図３から図５に示すように、側部に開口２５が形成され、内部に機構収納空間２６が形成されている。
【００１４】
開口２５は、機構収納空間２６に各種の機構を装着するために前部を除く上下及び後部の三方に設けられており、中間部分より下方に本体部材２ａの厚みの変化に伴って段差が形成されている。機構収納空間２６には、図２に示すように、ロータ３を回転させるためのロータ駆動機構５と、スプール４を前後移動させて釣り糸を均一に巻き取るためのオシレーティング機構６とが設けられている。
【００１５】
また、本体部材２ａには、前端側に回転支持部２７を有し、側部に第１ハンドル支持部２８ａを有している。第１ハンドル支持部２８ａは、ハンドル１の回転軸であるハンドル軸１０の一端を支持するためのボス部として機能する。本体部材２ａは、上部（釣竿装着側）ではリール本体２の略半分の厚みであるが、下部では、それより蓋部材２ｂ側に突出しており、上部より厚い厚みに形成されている。
【００１６】
回転支持部２７は、ロータ３のリール本体２側に形成された円形の凹陥部３ａ内に配置されるように形成されロータ３の回転軸である後述するピニオンギア１２を回転自在に支持する。回転支持部２７は、機構収納空間２６の前部に一体成形された略半円形の第１フランジ部分２４ａにさらに略円柱状に一体成形されており、中心にピニオンギア１２が貫通する貫通孔２７ａ（図２参照）が形成されている。この回転支持部２７の前面には、後述する逆転防止機構５０のワンウェイクラッチ５１がねじ止め固定されている。
【００１７】
本体部材２ａの後部には、図２及び図５に示すように、逆転防止機構５０の操作機構５２の操作軸５４を支持するための揺動支持部２８ｃが形成されている。揺動支持部２８ｃは、蓋部材２ｂに向けて半円形状に突出して形成されている。また、本体部材２ａの後部には、操作レバー５３を支持する１／４円の突出したボス部２８ｄが形成されている。なお、蓋部材２ｂにも同様な形状のボス部３５ｅが形成されており、２つのボス部２８ｄ、３５ｅで略半円形のボス部となる。
【００１８】
蓋部材２ｂは、たとえばガラス繊維で強化されたポリアミド系合成樹脂製であり、射出成形法により製造された部材である。蓋部材２ｂは、図３、図４、図６、図７に示すように、カバー部３５と、カバー部３５から上方に延びる取付脚部３６とを有している。カバー部３５は、本体部材２ａの開口２５を覆い、かつ内部に空間が形成され得るようにロータ装着側に壁部としての第２フランジ部分２４ｂが一体成形された薄肉の部材である。カバー部３５は、上部は、リール本体２の厚みの略半分の厚みで形成されており、下部では本体部材２ａの突出に伴ってそれより厚みが薄くなっている。カバー部３５の前部を除く上部及び後部には開口２５に対向して縁取り部３９が形成されている。この縁取り部３９には開口２５に密着するように段差が形成されている。カバー部３５の前部に、フランジ部２ｃの略半円形の第２フランジ部分２４ｂが形成されている。第２フランジ部分２４ｂの内方に突出する内側部分がカバー部３５を補強する壁部として機能している。また、カバー部３５の側部には、ハンドル軸１０の他端を支持するためのボス部からなる第２ハンドル支持部２８ｂが形成されている。
【００１９】
取付脚部３６は中実の厚肉部材であり、その先端は前後両側に延びており釣竿取付部３６ａとなっている。取付脚部３６からカバー部３５にかけての境界部分は、略半分の厚みに切り欠かれており、その切り欠き部分に外側面が滑らかに連続するように本体部材２ａの上部が嵌め込まれている。
フランジ部２ｃは、円板状に形成されており、ロータ３の後部に形成された円形の凹陥部３ａを塞ぐように凹陥部３ａの端面と略同一面に配置されている。フランジ部２ｃは、前述したように本体部材２ａに一体成形された略半円形の第１フランジ部分２４ａと、蓋部材２ｂのカバー部３５に一体成形され第１フランジ部分２４ａとで円形となるような半円形の第２フランジ部分２４ｂとを有している。第２フランジ部分２４ｂには、図４に示すように、後述する係止突起３８ａが係止されて後述するカバー部材３８を浮き止めするための円形状の係止孔２４ｃが形成されている。
【００２０】
リール本体２の取付脚部３６の背面部分には、銘板３７が固定されている。また、リール本体２の背面下部には、カバー部材３８が装着されている。
銘板３７は、合成樹脂製の部材であり、取付脚部３６に形成された長溝３６ｄ（図２参照）に装着されている。銘板３７は、取付脚部３６の背面に沿って配置される本体部３７ａと、本体部３７ａと一体成形され長溝３６ｄに装着される３つの突起部３７ｂと、本体部３７ａの下端に形成され、本体部材２ａの上部に係止される係止爪３７ｃとを有している。
【００２１】
カバー部材３８は、たとえばＡＢＳ樹脂などの合成樹脂にめっき処理したりステンレス合金を用いたりして傷つきにくくしたものであり、リール本体２の最も傷つきやすい背面下部を保護するものである。カバー部材３８は、断面が略Ｕ字状に形成されており、蓋部材２ｂ装着側が本体部材２ａ装着側より長くなるように形成されている。カバー部材３８の蓋部材２ｂ装着側の前端部には、図１、図４、図８及び図９に示すように、第２フランジ部分２４ｂ装着面に突出して設けられ、断面が略半円形状に形成された係止突起３８ａが一体成形されている。ここでは、断面が略半円状に形成された係止突起３８ａを、円形状に形成された係止孔２４ｃ（図４参照）に係止することにより、カバー部材３８を浮き止めしている。
【００２２】
ロータ駆動機構５は、図２に示すように、ハンドル１が固定されたハンドル軸１０とともに回転するフェースギアからなるマスターギア１１と、このマスターギア１１に噛み合うピニオンギア１２とを有している。ロータ３の回転軸であるピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ回転支持部２７に装着された軸受１４ａと、軸受１４ａより後方に配置された軸受１４ｂとを介してリール本体２に回転自在に支持されている。
【００２３】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、図示しない減速機構を介してピニオンギア１２に噛み合っている。
【００２４】
第１ハンドル支持部２８ａ及び第２ハンドル支持部２８ｂは、本体部材２ａに設けられた筒状の部分であり、内部に図示しない軸受が装着されている。
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは一体成形されている。
【００２５】
円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット１３が配置されており、このナット１３がピニオンギア１２の先端のネジ部に螺合している。円筒部３０の前壁３３より後方が凹陥部３ａとなっており、この凹陥部３ａの後端面と面一にフランジ部２ｃが本体部材２ａ及び蓋部材２ｂにそれぞれ一体成形されている。
【００２６】
第１ロータアーム３１の先端の外周側には第１ベール支持部材４０が揺動自在に装着されている。第１ベール支持部材４０の先端には、釣り糸をスプール４に案内するためにラインローラ４１が装着されている。また、第２ロータアーム３２の先端の外周側には、第２ベール支持部材４２が揺動自在に装着されている。第１ベール支持部材４０の先端のラインローラ４１と第２ベール支持部材４２との間にはベール４３が設けられている。これらのベール支持部材４０、４２、ラインローラ４１及びベール４３によりベールアーム４４が構成される。
【００２７】
ロータ３の円筒部３０の内部にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪が回転支持部２７に固定され、内輪がピニオンギア１２に回転不能に係止されている。操作機構５２は、本体部材２ａと蓋部材２ｂとの間に配置された操作レバー５３と、操作レバー５３が後端に装着され本体部材２ａに揺動自在に装着された操作軸５４とを有しており、操作レバー５３を揺動させることで操作軸５４の先端の図示しないカム突起が揺動してワンウェイクラッチ５１を作動状態及び非作動状態とに切り換えられる。このワンウェイクラッチ５１が作動状態のときにロータ３が逆転不能になり、非作動状態のときロータ３が逆転可能になる。
【００２８】
スプール４は、ロータ３の第１ロータアーム３１と第２ロータアーム３２との間に配置されており、スプール軸１５の先端にドラグ機構６０を介して装着されている。スプール４は、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。
【００２９】
このような構成のスピニングリールでは、蓋部材２ｂの第２フランジ部分２４ｂに円形状の係止孔２４ｃが形成され、カバー部材３８の前端面に断面が略半円形状の係止突起３８ａが形成され、係止孔２４ｃに係止突起３８ａを係止させてカバー部材３８を浮き止めしている。ここでは、係止孔２４ｃは円形状に形成されているので、係止孔２４ｃの形成が容易になり、容易な構成でカバー部材３８を浮き止めできる。
【００３０】
〔他の実施形態〕
（ａ）　スピニングリールの形態は前記実施形態に限定されるものではなく、ドラグ機構を有するものや、逆転防止機構に代えてブレーキレーバを有する制動機構を装着したものにも本発明を適用できる。
（ｂ）　前記実施形態では、第１フランジ部分２４ａや第２フランジ部分２４ｂを本体部材２ａやカバー部３５と一体成形したが、第２フランジ部分２４ｂの内側に突出する内側部分である壁部だけがカバー部３５と一体成形されていれば、他の部分は別体にしてもよい。
【００３１】
（ｃ）　前記実施形態では、係止孔２４ｃは、蓋部材２ｂの第２フランジ部分２４ｂに形成されていたが、これに限定されるものではなく、本体部材２ａに係止孔２４ｃを形成してもよい。
（ｄ）　前記実施形態では、係止突起３８ａは、カバー部材３８と一体成形されていたが、別体で設けてもよい。
【００３２】
（ｅ）　前記実施形態では、蓋部材２ｂは、取付脚部３６と一体成形されていたが、本体部材２ａと取付脚部３６とを一体成形してもよい。
【００３３】
【発明の効果】
本発明によれば、リールボディに円形状の係止孔が形成され、カバー部材に断面が略半円形状の係止突起が形成され、係止孔に係止突起を係止させてカバー部材を浮き止めしているので、容易な構成でカバー部材を浮き止めできる。
【図面の簡単な説明】
【図１】本発明の一実施形態によるスピニングリールの側面図。
【図２】前記スピニングリールの側面断面図。
【図３】前記スピニングリールの背面図。
【図４】リール本体の分解斜視図。
【図５】筐体部の斜視図。
【図６】蓋体部の側面図。
【図７】図６のＶＩ−ＶＩ断面図。
【図８】カバー部材の拡大側面図。
【図９】係止突起の拡大正面図。
【符号の説明】
２　リール本体
２ａ　本体部材
２ｂ　蓋部材
２ｃ　フランジ部
２４ａ　第１フランジ部分
２４ｂ　第２フランジ部分
２４ｃ　係止孔
３６　取付脚部
３８　カバー部材
３８ａ　係止突起
【図１】
2004081153.tif 000003
【図２】
2004081153.tif 000004
【図３】
2004081153.tif 000005
【図４】
2004081153.tif 000006
【図５】
2004081153.tif 000007
【図６】
2004081153.tif 000008
【図７】
2004081153.tif 000009
【図８】
2004081153.tif 000010
【図９】
2004081153.tif 000011